(57)【要約】      （修正有）【課題】ヘッド本体がカウンターウェイトと安定に結合するゴルフクラブヘッドを提供する。【解決手段】ゴルフクラブヘッドは、鋳造によりヘッド本体１に包まれたカウンターウェイト２を含み、カウンターウェイト２がヘッド本体１に被覆されていない露出面２１を少なくとも一つ有し、カウンターウェイト２が少なくとも一つの斜面２２を有し、ヘッド本体１が斜面２２に連結するリミット部１１を有する。斜面２２は第一端面２３と、第一端面２３よりヘッド本体１の外表面に近づく第二端面２４とを連結し、第一端面２３の第二端面２４への投影範囲は第二端面２４の範囲に含まれ、且つ、第二端面２４の範囲より小さい。【選択図】図４
0003213866.tif 000002
【実用新案登録請求の範囲】
【請求項１】
鋳造によりヘッド本体に包まれたカウンターウェイトを含み、前記カウンターウェイトが前記ヘッド本体に被覆されていない露出面を少なくとも一つ有し、前記カウンターウェイトが少なくとも一つの斜面を有し、前記ヘッド本体が前記斜面に連結するリミット部を有することを特徴とするゴルフクラブヘッド。
【請求項２】
前記斜面は第一端面と、第一端面よりヘッド本体の外表面に近づく第二端面とを連結し、第一端面の第二端面への投影範囲は第二端面の範囲に含まれ、且つ、第二端面の範囲より小さいことを特徴とする請求項１に記載のゴルフクラブヘッド。
【請求項３】
前記斜面と第二端面との夾角が７０〜８５°に形成されることを特徴とする請求項２に記載のゴルフクラブヘッド。
【請求項４】
前記斜面がカウンターウェイトの一方に設けられ、カウンターウェイトのもう一方に階段部が設けられ、階段部は第一端面及び第二端面に連結し、ヘッド本体には階段部に連接する当接部が形成されることを特徴とする請求項２に記載のゴルフクラブヘッド。
【請求項５】
前記ヘッド本体のリミット部の最小厚さは１ｍｍ以上とすることを特徴とする請求項１に記載のゴルフクラブヘッド。
【請求項６】
前記ヘッド本体のリミット部の最小厚さは１０ｍｍ以下とすることを特徴とする請求項５に記載のゴルフクラブヘッド。
【請求項７】
前記ヘッド本体のリミット部を斜面に間接的に連結させるように、カウンターウェイトの外表面に抗酸化層を設けることを特徴とする請求項１〜６のいずれか１項に記載のゴルフクラブヘッド。
【請求項８】
前記抗酸化層はニッケル或いは銅からなることを特徴とする請求項７に記載のゴルフクラブヘッド。
【請求項９】
前記抗酸化層の厚さは０．０１〜０．０６ｍｍであることを特徴とする請求項７に記載のゴルフクラブヘッド。
【請求項１０】
前記抗酸化層の厚さは０．０５ｍｍであることを特徴とする請求項９に記載のゴルフクラブヘッド。
【考案の詳細な説明】
【技術分野】
【０００１】
本考案は、ゴルフクラブヘッドに関するもので、特に、カウンターウェイトを有するゴルフクラブヘッドに関するものである。
【背景技術】
【０００２】
ゴルフクラブヘッドにおいて、「低重心」、「深重心」、「震動を抑え」、或いは「優れた打感」などの使用者の色々な需要を満たすために、ゴルフクラブヘッドの重心の位置または打感を調整できるように、本体と異なる材質を有するカウンターウェイトが設置されていた。カウンターウェイトがよく設置される部位としては、ゴルフクラブヘッド本体におけるトゥ部、ソール部、ヒール部、バック部、ホーゼル部或いはフェース部などが含まれる。
【０００３】
図９は、公知のゴルフクラブヘッド９を示す。この公知のゴルフクラブヘッド９は、フェース部９１を有し、フェース部９１の周りから、外に向って延出する突縁９１１が形成され、フェース部９１の裏に二つのナット９２が溶接されており、その二つのナット９２の位置を合わせるように、二つの座繰り穴９３１がカウンターウェイト９３に設けられ、カウンターウェイト９３をフェース部９１に結合するように、位置を合わせている座繰り穴９３１とナット９２とをねじ９４により螺接して固定すると共に、カウンターウェイト９３をフェース部９１に結合させる。鋳造により、ヘッド本体９５がフェース部９１の突縁９１１を包むと共に、フェース部９１と一緒にカウンターウェイト９３を包む。上記の公知のゴルフクラブヘッド９の一つの例は特許文献１に掲示されている。
【先行技術文献】
【特許文献】
【０００４】
【特許文献１】台湾公告第２８８３４６号公報
【考案の概要】
【考案が解決しようとする課題】
【０００５】
しかしながら、フェース部９１、カウンターウェイト９３、及びヘッド本体９５がそれぞれ異なる材質からなるため（フェース部９１及びカウンターウェイト９３の融点はヘッド本体９５の融点より高い）、ヘッド本体９５が鋳造により形成される前に、シェルモールドに注入する溶融金属が良好な流動性を維持するために、使用されるシェルモールドを予めに高温まで加熱する段階において、シェルモールドの中に置いたフェース部９１及びカウンターウェイト９３の表面に酸化層が生じ易く、鋳込んだ後形成したヘッド本体９５とフェース部９１及びカウンターウェイト９３との結合の安定性に悪影響を及ぼしがちであった。また、ヘッド本体９５の熱膨張率とフェース部９１及びカウンターウェイト９３の熱膨張率とが違うために、冷却後に、ヘッド本体９５とフェース部９１及びカウンターウェイト９３との結合が緩むことが多く、特に、ゴルフボールを打撃する度に、その結合が緩む問題がさらに明らかになった。よって、公知のゴルフクラブヘッドは改善の必要があるものであった。
【０００６】
本考案は、上記の課題を解決するために、ヘッド本体とカウンターウェイトとの結合の安定性を向上させるゴルフクラブヘッドを提供することを目的とするものである。
【課題を解決するための手段】
【０００７】
本考案のゴルフクラブヘッドは、鋳造によりヘッド本体に包まれたカウンターウェイトを含み、前記カウンターウェイトが前記ヘッド本体に被覆されていない露出面を少なくとも一つ有し、前記カウンターウェイトが少なくとも一つの斜面を有し、前記ヘッド本体が前記斜面に連結するリミット部を有する。
【０００８】
これにより、本考案のゴルフクラブヘッドは、カウンターウェイトに斜面を設け、ヘッド本体のリミット部に支えられることができ、前記ヘッド本体と前記カウンターウェイトとの結合の安定性を向上させ、結合が緩むことが生じず、ゴルフクラブヘッドの耐久性を向上させる効果を達することができる。
【０００９】
また、前記斜面は第一端面と、第一端面よりヘッド本体の外表面に近づく第二端面とを連結し、前記第一端面が前記第二端面へ投影される範囲は前記第二端面の範囲に含まれ、且つ、前記第二端面の範囲より小さく形成することにより、前記ヘッド本体のリミット部を安定に位置決めさせるように、前記斜面と前記第一端面と前記第二端面と共に逆鉤型の構造を形成し、前記カウンターウェイトを前記ヘッド本体から脱落させない効果を有する。
【００１０】
また、前記斜面と前記第二端面との夾角を７０〜８５°に形成することにより、前記カウンターウェイトが前記ヘッド本体から脱落することを効果的に防止し、且つ、簡単な構造からなるため、製造しやすく、割れたりすることもなく、製造のコストを有効に下げると共に、組立て時の効率を高める効果を有する。
【００１１】
また、前記斜面が前記カウンターウェイトの一方に設けられ、前記カウンターウェイトのもう一方に階段部が設けられ、前記階段部は前記第一端面及び前記第二端面に連結し、前記ヘッド本体は、前記階段部に連接する当接部が形成されることにより、前記カウンターウェイトが前記ヘッド本体から脱落させない効果を有する。
【００１２】
また、前記ヘッド本体のリミット部の最小厚さを１ｍｍ以上とすることにより、前記リミット部が割れたり、破壊されたりすることがないという効果を有する。
【００１３】
また、前記ヘッド本体のリミット部の最小厚さを１０ｍｍ以下とすることにより、歩留まり、コスト及び頑丈さの三つのバランスを配慮することができる効果を有する。
【００１４】
また、前記ヘッド本体のリミット部を前記斜面に間接に連結させるように、前記カウンターウェイトの外表面に抗酸化層を設けることにより、カウンターウェイトとヘッド本体とを結合した後、カウンターウェイトとヘッド本体との間の間隙を大幅に縮小させる効果を有する。
【００１５】
また、前記抗酸化層はニッケル或いは銅からなることにより、カウンターウェイトが酸化されることを避ける効果を有する。
【００１６】
また、前記抗酸化層の厚さは０．０１〜０．０６ｍｍであることにより、前記抗酸化層を設置しやすく、材料の無駄な消費を避けることができ、製造の効率を高めるとともに、製造のコストを有効に下げる効果を有する。
【００１７】
また、前記抗酸化層の厚さは０．０５ｍｍであることにより、優れた抗酸化効果を有し、前記ヘッド本体と前記カウンターウェイトとの結合の安定性及び電気鍍金する際の歩留まりを向上させる効果を有する。
【図面の簡単な説明】
【００１８】
【図１】図１は、本考案の第一実施例に係るゴルフクラブヘッドの概略構造斜視図である。
【図２】図２は、シェルモールドにおける本考案の第一実施例に係るゴルフクラブヘッドの断面構造の説明図である。
【図３】図３は、本考案の第一実施例に係るゴルフクラブヘッドの断面構造の説明図である。
【図４】図４は、本考案の第一実施例に係るゴルフクラブヘッドの局部の拡大断面構造の説明図である。
【図５】図５は、本考案の第一実施例のもう一つの使用例に係るゴルフクラブヘッドの断面構造の説明図である。
【図６】図６は、本考案の第一実施例のさらにもう一つの使用例に係るゴルフクラブヘッドの断面構造の説明図である。
【図７】図７は、本考案の第二実施例に係るゴルフクラブヘッドの概略構造説明図である。
【図８】図８は、本考案の第二実施例に係るゴルフクラブヘッドの局部の拡大断面構造の説明図である。
【図９】図９は、従来のゴルフクラブヘッドの概略構造断面図である。
【考案を実施するための形態】
【００１９】
本考案の実施の一形態について、以下、図面を参照して説明する。
【００２０】
図1は、本考案のゴルフクラブヘッドの第一実施例を示す図である。本考案のゴルフクラブヘッドは、ヘッド本体１及び鋳造によりヘッド本体１に包まれるカウンターウェイト２を含む。
【００２１】
本考案では、ヘッド本体１及びカウンターウェイト２の形態については特に限定されない。例えば、ヘッド本体１の形態としては、アイアンクラブヘッド又はウッドクラブヘッドであればよく、カウンターウェイト２は、設置しようとする部位によってカウンターウェイト２の形、大きさなどを調整することができるものであればよく、これらについては当業者が容易に理解できるものである。本実施例では選択的に、カウンターウェイト２をアイアンクラブヘッドの形態のヘッド本体１のソール部に設置しているが、これに限定されないことは容易に理解されよう。
【００２２】
図２、３に示すように、本考案のゴルフクラブヘッドを成形する過程においては、一個のシェルモールド３を準備し、シェルモールド３の内部にキャビティー３１を形成させ、カウンターウェイト２が局部でシェルモールド３に嵌合し、カウンターウェイト２の余剰部分がキャビティー３１の中に位置するようにすることができる。そして、シェルモールド３のキャビティー３１内に金属液体Ｌが満杯になるように充填させる（好ましくは、真空環境で遠心鋳造により行う）。金属液体Ｌを完全に凝固させて、ヘッド本体１を成形した後、シェルモールド３を壊し、カウンターウェイト２がヘッド本体１に被覆されていない露出面２１を形成するように、ヘッド本体１及びカウンターウェイト２を修整して研磨し（図４において二点鎖線で表示されているカウンターウェイト２の部位は修整研磨されて除去された部位を示すものである）、本考案のゴルフクラブヘッドを獲得する。
【００２３】
また、図１、３に示すように、本考案のゴルフクラブヘッドのカウンターウェイト２は、例えば、タングステン塊からなってもよく（成分はＷ−Ｆｅ−Ｎｉで粉末冶金により製造される）、且つ、カウンターウェイト２の比重は約９〜１８ｇ/ｃｍ3である。カウンターウェイト２がさらに少なくとも一つの斜面２２を有し、ヘッド本体１が斜面２２に連結するリミット部１１を有する。これにより、リミット部１１と斜面２２とが共に、カウンターウェイト２をヘッド本体１から脱落させないための構造を形成し、ひいては、ヘッド本体１とカウンターウェイト２との結合の安定性を向上させる。
【００２４】
詳しく言うと、斜面２２は第一端面２３と、第一端面２３よりヘッド本体１の外表面に近づく第二端面２４とを連結する。第一端面２３が第二端面２４へ投影する範囲を、第二端面２４の範囲に含まれるようにし、且つ、第二端面２４の範囲より小さくすることにより、斜面２２、第一端面２３及び第二端面２４が逆鉤型の構造を形成し、これによってヘッド本体１のリミット部１１を安定して位置決めさせる。故に、ヘッド本体１のリミット部１１が破壊されない限り、カウンターウェイト２はヘッド本体１から脱落することはできないものである。
【００２５】
また、ヘッド本体１のリミット部１１は、容易に割れたり破壊されたりすることのない十分な構造上の強度を確保するために、リミット部１１の最小厚さを１ｍｍ以上、好ましくは１０ｍｍ以下、とすることで、歩留まり、コスト及び構造強度の三つのバランスを効果的にとることができる。そして、斜面２２と第二端面２４との夾角θが約７０〜８５°に形成されることによって、カウンターウェイト２がヘッド本体１から脱落することを効果的に防止し、且つ、カウンターウェイト２を形成しやすくなり、そして斜面２２と第二端面２４とが連結する端縁で欠けたり、割れたりしないようにすることなど、様々な効果を達することができる。
【００２６】
図４を参照すると、カウンターウェイト２の外表面は、抗酸化層２５を鍍金することによりヘッド本体１のリミット部１１を斜面２２と間接的に連結させ、シェルモールド３を焼結または予熱する際、カウンターウェイト２においてキャビティー３１の中に位置する部分が酸化することを防止することができる（図３参照）。抗酸化層２５は例えば、ニッケル或いは銅からなり、厚さは約０．０１〜０．０６ｍｍ、好ましくは０．０５ｍｍである。これにより、ヘッド本体１とカウンターウェイト２とを修整研磨した後、結合したヘッド本体１とカウンターウェイト２との間の間隙は０．０２〜０．１ｍｍに抑えることができる。抗酸化層２５を設けない場合、約１ｍｍの間隙が生じるものに対して、抗酸化層２５を設けたヘッド本体１とカウンターウェイト２は、優れた結合安定性を有し、且つ、表面が平滑になるため、電気鍍金する際の歩留まりを向上させることに役に立つことができる。
【００２７】
また、ヘッド本体１及びカウンターウェイト２を修整研磨して、カウンターウェイト２がヘッド本体１から露出する形態については限定されない。例えば、本実施例のように、カウンターウェイト２の斜面２２、第一端面２３及び第二端面２４がヘッド本体１に被覆され、第一端面２３に突出するように設けた二つの位置決めブロック２３１だけがヘッド本体１の外表面に延出すると共に、二つの位置決めブロック２３１の修整研磨された表面を露出面２１として形成される。或いは、図５に示すように、第一端面２３とヘッド本体１の外表面とが概ね同一平面に位置するようにし、二つの位置決めブロック２３１を完全に取り除き、第一端面２３を修整研磨して露出面２１として形成される。或いは、図６に示すように、第一端面２３をヘッド本体１の外表面から突出させ、即ち、斜面２２の一部もヘッド本体１の外表面から露出させ、そして修整研磨することで、二つの位置決めブロック２３１を共に完全に取り除き、カウンターウェイト２の一部を突出させることで、第一端面２３及び斜面２２の一部が露出面２１として形成される。
【００２８】
図７を参照すると、本考案の第二実施例によるゴルフクラブヘッドでは、カウンターウェイト４をアイアンクラブヘッド形態のヘッド本体１のトゥ部に設置しているが、これに限定されない。
【００２９】
図７、８を参照し、詳しく言うと、カウンターウェイト４はヘッド本体１のトゥ部に合わせ、傾斜且つ非対称になるように形成され、カウンターウェイト４を修整研磨した後、ヘッド本体１に被覆されていない露出面４１が形成される。カウンターウェイト４の一つの側に少なくとも一つの斜面４２を有する。斜面４２は第一端面４３と、第一端面４３よりヘッド本体１の外表面に近づく第二端面４４とを連結する。ヘッド本体１が斜面４２に連結するリミット部１１を有するため、リミット部１１と斜面４２とが、カウンターウェイト４をヘッド本体１から脱落させない構造を形成し、ひいてはヘッド本体１とカウンターウェイト４との結合の安定性を向上させる。
【００３０】
また、第一端面４３が第二端面４４への投影範囲を、第二端面４４の範囲に含まれるようにし、且つ、第二端面４４の範囲より小さくすることにより、斜面４２、第一端面４３及び第二端面４４が逆鉤型の構造を形成し、これによってヘッド本体１のリミット部１１を安定に位置決めさせる。ヘッド本体１のリミット部１１が容易に割れたり破壊されたりしない十分な構造的な強度を確保し、リミット部１１によってカウンターウェイト４がヘッド本体１から脱落しないように維持するために、リミット部１１の最小厚さは１ｍｍ以上、好ましくは１０ｍｍ以下とする。そして、斜面４２と第二端面４４との夾角θが約７０〜８５°に形成され、これによって、カウンターウェイト４がヘッド本体１から脱落することをより効果的に防止することができる。
【００３１】
また、カウンターウェイト４において、斜面４２に対する側に階段部４５を設けることができる。階段部４５は第一端面４３及び第二端面４４に連結し、ヘッド本体１は階段部４５に対応して、階段部４５を連接して支える当接部１２が形成されることで、当接部１２によってカウンターウェイト４がヘッド本体１から脱落しないように維持することもできる。カウンターウェイト４が酸化しないために、カウンターウェイト４の外表面は、抗酸化層４６を鍍金することにより、ヘッド本体１のリミット部１１を斜面４２と間接的に連結させ、且つ、ヘッド本体１の当接部１２を階段部４５と間接に連結させることができる。抗酸化層４６は、例えばニッケル或いは銅からなり、厚さは約０．０１〜０．０６ｍｍ、好ましくは０．０５ｍｍである。
【００３２】
綜合すると、本考案のゴルフクラブヘッドにおいて、カウンターウェイトに斜面を設けるにより、ヘッド本体のリミット部に支えられて、リミット部と斜面とが、カウンターウェイトをヘッド本体から脱落させないための構造を形成し、ひいてはヘッド本体とカウンターウェイトとの結合の安定性を向上させ、結合に緩みを生じさせない効果を達することができ、ゴルフクラブヘッドの耐久性を向上させる。また、さらにカウンターウェイトの外表面に酸化層を設けることで、カウンターウェイトが酸化することを避け、カウンターウェイトとヘッド本体とを結合した後、カウンターウェイトとヘッド本体との間の間隙が大幅に縮むことができるため、ヘッド本体とカウンターウェイトとの結合に緩みが生じることを避けることができ、電気鍍金する際の歩留まりを向上させることに役に立つことができる。
【００３３】
本考案は、その精神と必須の特徴事項から逸脱することなく他のやり方で実施することができる。従って、本明細書に記載した実施形態は例示的なものであり、本考案の範囲を限定するものではない。
【符号の説明】
【００３４】
１  ヘッド本体
１１  リミット部
１２  当接部
２  カウンターウェイト
２１  露出面
２２  斜面
２３  第一端面
２３１  位置決めブロック
２４  第二端面
２５  抗酸化層
３  シェルモールド
３１  キャビティー
４  カウンターウェイト
４１  露出面
４２  斜面
４３  第一端面
４４  第二端面
４５  階段部
４６  抗酸化層
Ｌ  金属液体
θ  夾角
９  ゴルフクラブヘッド
９１  フェース部
９１１  突縁
９２  ナット
９３  カウンターウェイト
９３１  座繰り穴
９４  ねじ
９５  ヘッド本体
【図１】
0003213866.tif 000003
【図２】
0003213866.tif 000004
【図３】
0003213866.tif 000005
【図４】
0003213866.tif 000006
【図５】
0003213866.tif 000007
【図６】
0003213866.tif 000008
【図７】
0003213866.tif 000009
【図８】
0003213866.tif 000010
【図９】
0003213866.tif 000011